(57)【要約】【課題】ワイヤハーネスの重量増加やコストアップを抑えつつ容易に回路のジョイントを行うことが可能な配線部材を提供すること。【解決手段】長尺の金属板を凹状に屈曲させることで同一方向へ突出されて一列に配列された複数の嵌合部１２と、隣接する嵌合部１２の側壁２１同士の隙間からなる保持スリット２３と、嵌合部１２に形成され、接続端子３１が係合可能な係合孔２４と、を有し、嵌合部１２は、各種機器に接続されるコネクタ１を有するワイヤハーネスのコネクタ１を構成するハウジング２に形成された複数のキャビティ３の配列ピッチと同一ピッチに配列され、嵌合部１２をハウジング２のキャビティ３に嵌合させることで、キャビティ３内に嵌合部１２が収容されるとともに、保持スリット２３に挿し込まれるキャビティ３間の隔壁４を嵌合部１２の側壁２１が挟持して保持する。【選択図】図２
2016213004.tif 000002
【特許請求の範囲】
【請求項１】
電線の端部に接続された複数の接続端子を導通させる配線部材であって、
長尺の金属板を屈曲させることで同一方向へ突出されて一列に配列された複数の嵌合部と、
隣接する前記嵌合部の側壁同士の隙間からなる保持スリットと、
前記嵌合部に形成され、前記接続端子が係合可能な係合部と、
を有し、
前記嵌合部は、各種機器に接続されるコネクタを有するワイヤハーネスの前記コネクタを構成するハウジングに形成された複数のキャビティの配列ピッチと同一ピッチに配列され、
前記嵌合部を前記ハウジングの前記キャビティに嵌合させることで、前記キャビティ内に前記嵌合部が収容されるとともに、前記保持スリットに挿し込まれる前記キャビティ間の隔壁を前記嵌合部の側壁が挟持して保持する
ことを特徴とする配線部材。
【請求項２】
前記係合部は、前記接続端子に設けられた棒状のタブが嵌入される係合孔からなる
ことを特徴とする請求項１に記載の配線部材。
【請求項３】
前記係合部は、前記接続端子に設けられた棒状のタブを挟持して保持する挟持部を有する
ことを特徴とする請求項２に記載の配線部材。
【発明の詳細な説明】
【技術分野】
【０００１】
本発明は、ワイヤハーネスに用いられる配線部材に関する。
【背景技術】
【０００２】
例えば、車両用のワイヤハーネスでは、回路のジョイントを行うために、ジョイントコネクタが用いられる（例えば、特許文献１，２参照）。
【先行技術文献】
【特許文献】
【０００３】
【特許文献１】特開平１１−８６９９７号公報
【特許文献２】特開２００８−１１６７６号公報
【発明の概要】
【発明が解決しようとする課題】
【０００４】
ところで、上記のジョイントコネクタは、専用のハウジングを備えるため、このジョイントコネクタを設けることでワイヤハーネスの重量増加やコストアップを招いてしまう。
【０００５】
本発明は、上述した事情に鑑みてなされたものであり、その目的は、ワイヤハーネスの重量増加やコストアップを抑えつつ容易に回路のジョイントを行うことが可能な配線部材を提供することにある。
【課題を解決するための手段】
【０００６】
前述した目的を達成するために、本発明に係る配線部材は、下記（１）〜（３）を特徴としている。
（１）  電線の端部に接続された複数の接続端子を導通させる配線部材であって、
長尺の金属板を屈曲させることで同一方向へ突出されて一列に配列された複数の嵌合部と、
隣接する前記嵌合部の側壁同士の隙間からなる保持スリットと、
前記嵌合部に形成され、前記接続端子が係合可能な係合部と、
を有し、
前記嵌合部は、各種機器に接続されるコネクタを有するワイヤハーネスの前記コネクタを構成するハウジングに形成された複数のキャビティの配列ピッチと同一ピッチに配列され、
前記嵌合部を前記ハウジングの前記キャビティに嵌合させることで、前記キャビティ内に前記嵌合部が収容されるとともに、前記保持スリットに挿し込まれる前記キャビティ間の隔壁を前記嵌合部の側壁が挟持して保持する
ことを特徴とする配線部材。
（２）  前記係合部は、前記接続端子に設けられた棒状のタブが嵌入される係合孔からなる
ことを特徴とする（１）に記載の配線部材。
（３）  前記係合部は、前記接続端子に設けられた棒状のタブを挟持して保持する挟持部を有する
ことを特徴とする（２）に記載の配線部材。
【０００７】
上記（１）の構成の配線部材では、ワイヤハーネスのコネクタを構成するハウジングに対して嵌合部をキャビティに嵌合させると、キャビティ内に嵌合部が収容されるとともに、キャビティ間の隔壁を嵌合部の側壁が挟持して保持することでハウジングに確実に保持される。そして、キャビティに収容された嵌合部の係合部へ接続端子を係合させることで、配線部材を介して電線を導通させることができる。
このように、ワイヤハーネスに設けられて各種の機器に接続されるコネクタのハウジングに装着することができるので、ハウジングで使われていない空きキャビティを用いることで、専用のハウジングを不要とすることができる。これにより、ワイヤハーネスに専用のハウジングを備えたジョイントコネクタを装着する場合と比較して、ワイヤハーネスの重量増加及びコストアップを極力抑えつつ容易に回路のジョイントを行うことができる。
また、一つのジョイントコネクタをワイヤハーネスに設け、このジョイントコネクタに集中して配線する場合と比較して、ワイヤハーネスの複数個所に設けられている機器との接続用コネクタに装着させることで、配線の分散化を図ることができる。これにより、電線の取り回しを単純化して電線長を削減し、軽量化及びコスト削減を図ることができる。
上記（２）の構成の配線部材では、接続端子の棒状のタブを係合孔へ挿し込むことで、接続端子を容易に導通接続させることができる。
上記（３）の構成の配線部材では、接続端子の棒状のタブを係合孔へ挿し込むと、タブが挟持部で挟持されるので、接続端子を高い接続強度で接続させることができるとともに、接触面積を増やして接続信頼性を高めることができる。
【発明の効果】
【０００８】
本発明によれば、ワイヤハーネスの重量増加やコストアップを抑えつつ容易に回路のジョイントを行うことが可能な配線部材を提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係る配線部材を説明する配線部材が装着されたハウジングの斜視図である。
【図２】図２は、本実施形態に係る配線部材を説明する配線部材が装着されたハウジングの断面図である。
【図３】図３は、本実施形態に係る配線部材の斜視図である。
【図４】図４は、配線部材に接続される接続端子の斜視図である。
【図５】図５は、他の実施形態に係る配線部材の平面図である。
【発明を実施するための形態】
【００１１】
以下、本発明に係る実施の形態の例を、図面を参照して説明する。
図１は、本実施形態に係る配線部材を説明する配線部材が装着されたハウジングの斜視図である。図２は、本実施形態に係る配線部材を説明する配線部材が装着されたハウジングの断面図である。図３は、本実施形態に係る配線部材の斜視図である。図４は、配線部材に接続される接続端子の斜視図である。
【００１２】
図１から図３に示すように、本実施形態に係る配線部材１１は、コネクタ１のハウジング２に装着される。コネクタ１は、車両用のワイヤハーネスの所定の位置に複数設けられたもので、必要に応じて車両の補機等から延びる補機側ワイヤハーネスのコネクタが接続される。コネクタ１を構成するハウジング２は、樹脂から成形されたもので、複数のキャビティ３が形成されている。このハウジング２に装着される配線部材１１は、ハウジング２に対して、キャビティ３の開口側から装着される。
【００１３】
配線部材１１は、導電性金属材料から形成された長尺のバスバーを折り曲げて形成したもので、複数の嵌合部１２を有している。これらの嵌合部１２は、一列に配列されており、ハウジング２への装着方向へ突出されている。これらの嵌合部１２は、そのピッチがハウジング２のキャビティ３のピッチと同一とされている。
【００１４】
嵌合部１２は、一対の側壁２１と、これらの側壁２１の一端側の接続板部２２とを有する平面視でコ字状に形成されている。これらの嵌合部１２は、側壁２１における接続板部２２と反対側で連結されている。これにより、配線部材１１には、嵌合部１２同士の間に保持スリット２３が形成されている。嵌合部１２には、接続板部２２に係合孔（係合部）２４が形成されている。この係合孔２４には、接続端子３１のタブ３２が挿し込まれる。
【００１５】
この配線部材１１は、ハウジング２に対してそれぞれの嵌合部１２をキャビティ３に挿し込んで嵌合させることでハウジング２に装着される。配線部材１１をハウジング２に装着すると、ハウジング２のキャビティ３を区画する隔壁４が配線部材１１の保持スリット２３に挿し込まれ、保持スリット２３を形成する側壁２１で挟持された状態となる。これにより、配線部材１１は、ハウジング２に対して確実に装着された状態に維持される。
【００１６】
図４に示すように、接続端子３１は、電線４１に接続されている。接続端子３１は、導電性金属材料から形成されたもので、タブ３２と圧着部３３とを有している。タブ３２は、先端へ向かって先細りの棒状に形成されている。圧着部３３には、電線４１が圧着されて接続されている。電線４１は、導体を外被で覆った絶縁電線であり、導体が露出された先端部に接続端子３１の圧着部３３が圧着されて導通接続されている。
【００１７】
接続端子３１は、ハウジング２に装着された配線部材１１の接続板部２２に接続される。具体的には、配線部材１１の接続板部２２に形成された係合孔２４に対してタブ３２を挿し込むことで導通接続される。これにより、配線部材１１を介して複数の電線４１が互いに導通され、回路がジョイントされる。
【００１８】
以上、説明したように、本実施形態に係る配線部材１１によれば、ワイヤハーネスのコネクタ１を構成するハウジング２に対して嵌合部１２をキャビティ３に嵌合させると、キャビティ３内に嵌合部１２が収容されるとともに、キャビティ３間の隔壁４を嵌合部１２の側壁２１が挟持して保持することでハウジング２に確実に保持される。そして、キャビティ３に収容された嵌合部１２の係合孔２４へ接続端子３１のタブ３２を挿し込んで係合させることで、配線部材１１を介して電線４１を導通させることができる。
【００１９】
このように、ワイヤハーネスに設けられて各種の機器に接続されるコネクタ１のハウジング２に装着することができるので、ハウジング２で使われていない空きキャビティ３を用いることで、専用のハウジングを不要とすることができる。これにより、ワイヤハーネスに専用のハウジングを備えたジョイントコネクタを装着する場合と比較して、ワイヤハーネスの重量増加及びコストアップを極力抑えつつ容易に回路のジョイントを行うことができる。
【００２０】
また、一つのジョイントコネクタをワイヤハーネスに設け、このジョイントコネクタに集中して配線する場合と比較して、ワイヤハーネスの複数個所に設けられている機器との接続用のコネクタ１に装着させることで、配線の分散化を図ることができる。これにより、電線４１の取り回しを単純化して電線長を削減し、軽量化及びコスト削減を図ることができる。
【００２１】
また、接続端子３１の棒状のタブ３２を係合孔２４へ挿し込むことで、接続端子３１を容易に導通接続させることができる。
【００２２】
次に、他の実施形態に係る配線部材について説明する。
図５は、他の実施形態に係る配線部材の平面図である。
図５に示すように、この配線部材１１は、嵌合部１２を構成する接続板部２２に、係合孔２４の縁部から接続端子３１の挿入方向前方へ向かって凹状の挟持部２５が形成されている。この挟持部２５には、接続端子３１のタブ３２が挿し込まれて嵌合される。この挟持部２５は、タブ３２の挿し込み方向へ向かって先細り形状とされている。これにより、この挟持部２５に挿し込まれた接続端子３１のタブ３２が挟持部２５で挟持されて確実に保持されるとともに、その外周に挟持部２５の内面が接触することとなる。
【００２３】
この他の実施形態に係る配線部材１１によれば、接続端子３１の棒状のタブ３２を係合孔２４へ挿し込むと、タブ３２が挟持部２５で挟持されるので、接続端子３１を高い接続強度で接続させることができるとともに、接触面積を増やして接続信頼性を高めることができる。
【００２４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２５】
ここで、上述した本発明に係る配線部材の実施形態の特徴をそれぞれ以下［１］〜［３］に簡潔に纏めて列記する。
［１］  電線の端部に接続された複数の接続端子（３１）を導通させる配線部材（１１）であって、
長尺の金属板を屈曲させることで同一方向へ突出されて一列に配列された複数の嵌合部（１２）と、
隣接する前記嵌合部の側壁（２１）同士の隙間からなる保持スリット（２３）と、
前記嵌合部に形成され、前記接続端子が係合可能な係合部（係合孔２４）と、
を有し、
前記嵌合部は、各種機器に接続されるコネクタ（１）を有するワイヤハーネスの前記コネクタを構成するハウジング（２）に形成された複数のキャビティ（３）の配列ピッチと同一ピッチに配列され、
前記嵌合部を前記ハウジングの前記キャビティに嵌合させることで、前記キャビティ内に前記嵌合部が収容されるとともに、前記保持スリットに挿し込まれる前記キャビティ間の隔壁（４）を前記嵌合部の側壁が挟持して保持する
ことを特徴とする配線部材。
［２］  前記係合部は、前記接続端子に設けられた棒状のタブ（３２）が嵌入される係合孔からなる
ことを特徴とする［１］に記載の配線部材。
［３］  前記係合部は、前記接続端子に設けられた棒状のタブを挟持して保持する挟持部（２５）を有する
ことを特徴とする［２］に記載の配線部材。
【符号の説明】
【００２６】
１  コネクタ
２  ハウジング
３  キャビティ
４  隔壁
１１  配線部材
１２  嵌合部
２１  側壁
２３  保持スリット
２４  係合孔（係合部）
２５  挟持部（係合部）
３１  接続端子
４１  電線
【図１】
2016213004.tif 000003
【図２】
2016213004.tif 000004
【図３】
2016213004.tif 000005
【図４】
2016213004.tif 000006
【図５】
2016213004.tif 000007